(57)【要約】  ダイバースパスアンテナ選択のためのシステム。第１と第２とのアンテナを有する通信デバイスにおいて信号を受信する方法を提供する。方法は、第１のアンテナを使用して信号の第１のバージョンを受信することと、第２のアンテナを使用して信号の第２のバージョンを受信することとを含む。方法はまた、信号の第１と第２のバージョンにそれぞれ関係付けられる第１品質ンジケータと第２品質ンジケータとを決定することと、第１と第２とのインジケータに基づいて、信号の第１と第２とのバージョンのうちの１つを選択して処理することとを含む。【選択図】      図２
2008537864.tif 000002
【特許請求の範囲】
【請求項１】
第１および第２のアンテナを有する通信デバイス中で信号を受信する方法において、
前記方法は、
前記第１のアンテナを使用して前記信号の第１のバージョンを受信することと、
前記第２のアンテナを使用して前記信号の第２のバージョンを受信することと、
それぞれ前記信号の第１および第２のバージョンに関係付けられた第１の品質インジケータおよび第２の品質インジケータを決定することと、
前記第１および第２の品質インジケータに基づいて、前記信号の第１および第２のバージョンのうちの１つを選択して処理することとを含む方法。
【請求項２】
前記決定するステップは、前記第１および第２の品質インジケータを測定するように動作する受信ロジックに対して前記信号の第１および第２のバージョンをスイッチすることを含む請求項１記載の方法。
【請求項３】
前記信号の第１のバージョンを受信するステップは、前記第１のアンテナに関係付けられた受信パスから前記信号の第１のバージョンを分配することを含む請求項１記載の方法。
【請求項４】
前記決定するステップは、それぞれ前記信号の第１および第２のバージョンに関係付けられた前記第１の品質インジケータおよび前記第２の品質インジケータを決定することを含み、前記第１の品質インジケータは第１の信号強度インジケータであり、前記第２の品質インジケータは第２の信号強度インジケータである請求項１記載の方法。
【請求項５】
第１および第２のアンテナを有するデバイス中で信号を受信し、前記第１のアンテナが前記信号を受信して前記信号の第１のバージョンを生成し、前記第２のアンテナが前記信号を受信して前記信号の第２のバージョンを生成する装置において、
前記装置は、
前記信号の第１および第２のバージョンならびに制御信号を受信するように結合されたスイッチと、
前記信号の第１および第２のバージョンに関係付けられた１つ以上の信号品質インジケータに基づいて、前記制御信号を出力するように動作する制御ロジックとを具備し、
前記スイッチは、前記制御信号に基づいて、前記信号の第１および第２のバージョンのうちの１つを受信ロジックに対して選択的に結合させるように動作する装置。
【請求項６】
前記第１のアンテナと前記スイッチとの間に結合された分配器をさらに具備する請求項５記載の装置。
【請求項７】
前記１つ以上の信号品質インジケータは、信号強度インジケータを含む請求項５記載の装置。
【請求項８】
前記受信ロジックは、前記１つ以上の信号品質インジケータを決定するように動作する請求項５記載の装置。
【請求項９】
第１および第２のアンテナを有する通信デバイス中で信号を受信する装置において、
前記装置は、
前記第１のアンテナを使用して前記信号の第１のバージョンを受信する手段と、
前記第２のアンテナを使用して前記信号の第２のバージョンを受信する手段と、
それぞれ前記信号の第１および第２のバージョンに関係付けられた第１の品質インジケータおよび第２の品質インジケータを決定する手段と、
前記第１および第２の品質インジケータに基づいて、前記信号の第１および第２のバージョンのうちの１つを選択して処理する手段とを具備する装置。
【請求項１０】
前記決定する手段は、前記第１および第２の品質インジケータを測定するように動作する受信ロジックに対して前記信号の第１および第２のバージョンをスイッチする手段を備える請求項９記載の装置。
【請求項１１】
前記信号の第１のバージョンを受信する手段は、前記第１のアンテナに関係付けられた受信パスから前記信号の第１のバージョンを分配する手段を備える請求項９記載の装置。
【請求項１２】
前記決定する手段は、それぞれ前記信号の第１および第２のバージョンに関係付けられた前記第１の品質インジケータおよび前記第２の品質インジケータを決定する手段を備え、前記第１の品質は第１の信号強度インジケータであり、前記第２の品質インジケータは第２の信号強度インジケータである請求項９記載の装置。
【請求項１３】
第１および第２のアンテナを有する通信デバイス中で信号を受信する方法を実行するために、デジタル処理装置により実行可能な機械読み取り可能命令のプログラムを有形に組み込んでいる信号担持媒体において、
前記方法は、
前記第１のアンテナを使用して前記信号の第１のバージョンを受信する動作と、
前記第２のアンテナを使用して前記信号の第２のバージョンを受信する動作と、
それぞれ前記信号の第１および第２のバージョンに関係付けられた第１の品質インジケータおよび第２の品質インジケータを決定する動作と、
前記第１および第２の品質インジケータに基づいて、前記信号の第１および第２のバージョンのうちの１つを選択して処理する動作とを含む信号担持媒体。
【請求項１４】
前記決定する動作は、前記第１および第２の品質インジケータを測定するように動作する受信ロジックに対して前記信号の第１および第２のバージョンをスイッチすることを含む請求項２１記載の信号担持媒体。
【請求項１５】
前記信号の第１のバージョンを受信する動作は、前記第１のアンテナに関係付けられた受信パスから前記信号の第１のバージョンを分配することを含む請求項２１記載の信号担持媒体。
【請求項１６】
前記決定する動作は、それぞれ前記信号の第１および第２のバージョンに関係付けられた前記第１の品質インジケータおよび前記第２の品質インジケータを決定することを含み、前記第１の品質は第１の信号強度インジケータであり、前記第２の品質インジケータは第２の信号強度インジケータである請求項２１記載の信号担持媒体。
【発明の詳細な説明】
【背景】
【０００１】
Ｉ．分野
本発明は、一般に通信デバイスの動作に関し、より詳細には、通信デバイスにおいて信号を受信するダイバースパスアンテナ選択のためのシステムに関する。
【０００２】
ＩＩ．関連技術の説明
ワイヤレス通信ネットワークは現在広く使用されており、移動端末のユーザが互いにおよび他のネットワークエンティティとワイヤレスに通信することを可能にする。ますます、移動端末は音声通信とデータサービスとの両方を受信するために使用されている。しかしながら、動作中に、移動端末は、性能を減少させる、レイリー信号フェージングおよび／または他の送信歪の影響を経験するかもしれない。例えば、同一信号の複数の位相のずれたバージョンが受信アンテナに到着するとき、レイリー信号フェージングが発生する可能性がある。位相のずれたバージョンは、互いに打ち消し合って低下した受信信号を発生させる傾向がある。
【０００３】
受信デバイスにおいて、信号フェージングの影響を減少させるために使用される１つの技術は、プライマリおよびダイバース受信パスのそれぞれに結合された複数のアンテナを利用する。アンテナは物理的に互いに離れた空間にあり、プライマリ受信パスは第１のアンテナにより受信される信号を処理し、一方、ダイバース受信パスは第２のアンテナにより受信される信号を処理する。２つの受信パスにおける信号を結合することにより、信号フェージングの影響を減少することができる。一般的に、第２のアンテナをデバイスの筐体に組み込んで、より見えないようにしてもよい。さらに、第２のアンテナおよびそれに関係付けられたダイバース受信パス電子機器は、より費用のかからない構成部品を使用して構成されて、第１アンテナおよびプライマリ受信パスよりも低い性能（すなわち、より低感度）を提供してもよい。
【０００４】
ワイヤレスサービスの利用度が増加してきたので、一時に複数の情報信号を受信して処理できることが望まれる。例えば、移動端末は、音声通話、ページングメッセージ、データおよびマルチメディアサービス、ならびに全地球測位信号（ＧＰＳ）のような測位信号を受信することが可能である。残念ながら、静的ダイバース受信パスを有する通常の端末は、一般に信号フェージングのような送信の影響を減少させる信号を処理するためだけにそのパスを利用する。さらに、コスト抑制のため、第２のアンテナは第１のアンテナの性能を提供しないかもしれない。このように、現在のデバイスは一般に、一度に１つの情報信号だけを処理するように制限されている。結果として、ダイバースパス処理を有する移動端末の能力および機能は、必要以上に制限され、および／または十分に利用されていないかもしれない。
【０００５】
それ故に、通信デバイス中のダイバース受信パスを利用して、追加的な機能および／または柔軟性を提供するシステムを有することが望まれる。例えば、移動デバイスにおいて同時に１つ以上の情報信号を処理することが望まれる。
【概要】
【０００６】
１つ以上の実施形態において、ダイバースパスアンテナ選択のためのシステムが提供され、そのシステムは通信デバイス中のプライマリ受信パスとダイバース受信パスとの中から選択するように動作する。例えば、システムは移動端末における使用に適しており、端末が同時に複数の信号を受信して処理できるようにし、その結果、デバイスに対して追加的な機能および／または柔軟性を提供する。
【０００７】
１つの実施形態において、システムはいくつかの動作モードを提供するように動作し、それにより通信デバイスは、そのダイバース受信パス処理をフルに利用することができる。例えば、“最適化信号”モードと呼ばれる１つの動作モードにおいて、システムは第１と第２のアンテナの中から選択するように動作して、選択された品質レベルで所望の信号を受信する。このように、通信デバイスにおいてダイバース受信パス処理を柔軟に利用するようにシステムは動作し、それにより、従来のシステムのように信号フェージングのような送信の影響を減少させることだけに限定されない。
【０００８】
１つの実施形態において、第１と第２とのアンテナを有する通信デバイスにおいて信号を受信する方法を提供する。方法は、第１のアンテナを使用して信号の第１のバージョンを受信することと、第２のアンテナを使用して信号の第２のバージョンを受信することとを含む。方法はまた、信号の第１と第２のバージョンにそれぞれ関係付けられる第１品質ンジケータと第２品質ンジケータとを決定することと、第１と第２とのインジケータに基づいて、信号の第１と第２とのバージョンのうちの１つを選択して処理することとを含む。
【０００９】
別の実施形態において、第１と第２とのアンテナを有するデバイスにおいて信号を受信する装置を提供し、この場合、第１のアンテナが信号を受信して信号の第１のバージョンを生成し、第２のアンテナが信号を受信して信号の第２のバージョンを生成する。装置は、信号の第１と第２とのバージョンおよび制御信号を受信するように結合されたスイッチを含み、制御信号に基づいて、受信ロジックに対して信号の第１と第２とのバージョンのうちの１つを選択的に結合するようにスイッチは動作する。装置はまた制御ロジックを含み、制御ロジックは信号の第１と第２とのバージョンに関係付けられた１つ以上の信号品質ンジケータに基づいて、制御信号を出力するように動作する。
【００１０】
さらに別の実施形態において、第１と第２とのアンテナを有する通信デバイスにおいて信号を受信する装置を提供する。第１のアンテナを使用して信号の第１のバージョンを受信する手段と、第２のアンテナを使用して信号の第２のバージョンを受信する手段とを装置は具備する。装置はまた、信号の第１と第２とのバージョンにそれぞれ関係付けられた第１品質ンジケータと第２品質ンジケータとを決定する手段と、第１と第２との品質ンジケータに基づいて、信号の第１と第２とのバージョンのうちの１つを選択して処理する手段とを具備する。
【００１１】
さらに別の実施形態において、信号担持媒体を提供し、信号担持媒体は、第１と第２とのアンテナを有する通信デバイスにおいて信号を受信する方法を実行するために、デジタル処理装置により実行可能な機械読み取り可能命令のプログラムを有形に組み込んでいる。方法は、第１のアンテナを使用して信号の第１のバージョンを受信する動作と、第２のアンテナを使用して信号の第２のバージョンを受信する動作とを含む。方法はまた、信号の第１と第２とのバージョンにそれぞれ関係付けられた第１品質ンジケータと第２品質ンジケータとを決定する動作と、第１と第２との品質ンジケータに基づいて、信号の第１と第２とのバージョンのうちの１つを選択して処理することを含む。
【００１２】
添付図面と共に考慮したとき、ここで記述した実施形態の先の観点および付随する利益は詳細な説明に対する参照により、より容易に明らかになるであろう。
【詳細な説明】
【００１３】
以下の詳細な説明は、通信デバイスにおける使用に対するダイバースパス選択システムの１つ以上の実施形態を記述する。例えば、システムは、音声およびデータサービスを受信するように動作するワイヤレス通信デバイスにおける使用に適している。
【００１４】
図１は、通信ネットワーク１００中の通信デバイス１０４を示し、デバイス１０４は、ダイバースパス選択システム１０６の１つの実施形態を含む。ネットワーク１００は、データネットワーク１０２を含み、データネットワーク１０２は、ワイヤレス通信リンク１０８を通じてデバイス１０４と通信する。通信リンク１０８は、フォワード通信チャネル、リバース通信チャネル、制御チャネル、ページングチャネル、および／または他の任意のタイプのデータまたは音声通信チャネルを含んでいてもよい。通信ネットワークは、ワイヤレス通信リンクを通じて通信できるワイヤおよび／またはワイヤレスネットワークの任意のタイプまたは組み合わせを含んでいてもよい。デバイス１０４は、移動電話機、ページャ、ＰＤＡ、ノートブックコンピュータ、デスクトップコンピュータ、またはラジオ受信機のようなワイヤレス送信を受信できる任意のタイプのデバイスを実質的に含んでいてもよい。
【００１５】
デバイス１０４は、第１のアンテナ１１０を含み、第１のアンテナ１１０はワイヤレスリンク１０８を通じてデータネットワーク１０２から送信される信号を受信するように動作する。デバイス１０４はまた第２のアンテナ１１２を含み、第２のアンテナ１１２はワイヤレスリンク１０８を通じてデータネットワーク１０２から送信される信号を受信するように動作する。この実施形態において、アンテナ１１０と１１２の両方はネットワーク１０２により送信される信号を受信するが、他の実施形態において、アンテナ１１０と１１２は、異なる源から送信される信号を受信するように動作する。例えば、アンテナは測位信号、無線信号または他の任意のタイプの送信信号を受信してもよい。
【００１６】
１つの実施形態において、第１のアンテナ１１０は、デバイス１０４の筐体の外側に位置して、最適の信号受信を提供する。第２のアンテナ１１２は、デバイス１０４の筐体内に位置しており、このため、第１のアンテナ１１０よりも低い性能を提供するかもしれない。第１と第２のアンテナ１１０、１１２は、任意の適当なタイプ、サイズ、形、あるいはアンテナの品質および／またはアンテナ技術を含む。
【００１７】
１つの実施形態において、デバイス１０４はダイバースパス選択ロジック１０６を含み、ロジック１０６はアンテナ１１０、１１２により受信される信号を受信して処理するように動作する。ダイバースパス選択ロジック１０６は、第１のアンテナ１１０からの信号を受信して処理するために、プライマリ受信パスを含んでいる。プライマリ受信パスは、分配器１１４とプライマリ受信機ロジック１１６とを含む。ダイバースパス選択ロジック１０６はまた、第２のアンテナ１１２からの信号を受信して処理するために、ダイバースまたは第２の受信パスを含んでいる。ダイバース受信パスは、スイッチ１１８とダイバース受信機ロジック１２０とを含む。
【００１８】
分配器１１４は、任意の適当な信号分配ロジックを含み、第１のアンテナ１１０からの信号を受信して、その信号を２つの信号に分配するように動作し、それらの信号はプライマリ受信機ロジック１１６およびスイッチ１１８に対して入力される。スイッチ１１８は、任意の適当なスイッチロジックを含み、第２のアンテナ１１２からの信号と分配器１１４からの信号とを受信するように動作し、それらの信号のうちの１つをスイッチ出力に向け、スイッチ出力はダイバースパス受信ロジック１２０に対して入力される。制御信号（Ｃｔｌ）に基づいて、スイッチ１１８に対する２つの信号入力のどちらかをスイッチ出力から出力する。プライマリパス受信ロジック１１６およびダイバースパス受信ロジック１２０は、第１と第２のアンテナ１１０、１１２により受信される信号を受信して処理するために、任意の適当なタイプの受信ロジックを含んでいる。
【００１９】
動作中、ダイバースパス選択ロジック１０６により、デバイス１０４はさまざまモードで動作して、送信された信号を処理および受信できる。例えば、１つの実施形態において、デバイス１０４は同時に２つの情報信号を処理するように動作してもよい。例えば、デバイス１０４は、音声通話とＧＰＳ信号とを同時に処理してもよい。別のケースにおいて、デバイス１０４はマルチメディア信号とページング信号とを受信してもよい。このように、ダイバースパス選択ロジック１０６により提供される動作モードにより、デバイス１０４は拡張した機能と柔軟性とともに動作できるようになる。以下の処理モードは実例であり、他の処理モードも実施形態の範囲内であり得ることに注意すべきである。
【００２０】
ダイバースパスモード 
ダイバースパスモードにおいて、デバイス１０４が同一信号の２つのバージョンを受信して処理できるように、選択ロジック１０６は動作する。例えば、送信信号は、デバイス１０４により処理されている音声通話に関係付けられてもよい。ダイバースパスモードにより、受信機は、音声通話信号の２つのバージョンを処理することによりフェージングの影響または他の不利な送信条件に打ち勝つことができ、許容できる信号品質を達成できる。このモードにおいて、第１のアンテナ１１０は送信信号を受信し、プライマリ受信パスの分配器１１４に対してその信号を入力する。その信号は次にプライマリ受信ロジック１１６に流れ、続けてデバイス１０４における他のロジックによりさらに処理される。第２のアンテナ１１２も信号を受信するが、その信号は、第１のアンテナ１１０において受信した信号とは位相がずれている。第２のアンテナ１１２は、スイッチ１１８に対して信号を入力する。制御信号（Ｃｔｌ）はスイッチ１１８を制御して、ダイバースパス受信機１２０に対して第２のアンテナ１１２からの信号を出力する。ダイバースパス受信機１２０はこの信号を処理し、デバイス１０４におけるベースバンド処理ロジックにより処理すべく信号を転送する。このように、２つのアンテナ１１０、１１２により、フェージングの影響および／または他の不利な送信の影響を減少させるように同一信号の２つのバージョンを処理することができ、これにより許容できる品質レベルで音声通話を伝えることができる。
【００２１】
複数信号モード 
複数信号モードにおいて、選択ロジック１０６により、デバイス１０４は処理するための複数の信号を受信できる。例えば、音声通話に関係付けられる第１の信号を受信し、ＧＰＳ信号に関係付けられる第２の信号を受信してもよい。１つの実施形態において、第２のアンテナ１１２により受信された信号が、ダイバースパス受信ロジック１２０にルーティングされるようにスイッチ１１８が制御される。結果として、プライマリ受信ロジック１１６は、第１のアンテナ１１０から受信された第１の信号を処理するように動作し、ダイバース受信ロジック１２０は、第２のアンテナ１１２からの第２の信号を処理するように動作する。このように、デバイス１０４は、２つの異なる情報信号を受信して処理できる。
【００２２】
最適化信号モード 
最適化信号モードにおいて、ダイバース受信ロジック１２０により処理すべき信号の最適のバージョンを提供するようにスイッチ１１８はセットされる。例えば、第１と第２のアンテナ１１０、１１２の両方で、ＧＰＳ信号のような所望の信号を受信してもよい。１つの実施形態において、信号の最適のバージョンがダイバース受信ロジック１２０にルーティングされるように、スイッチ１１８がセットされる。例えば、１つのケースにおいて第２のアンテナがより良い品質で信号を受信してもよく、結果として、スイッチ１１８は、ダイバース受信ロジック１２０に対して第２のアンテナからの信号をルーティングする。別のケースにおいて、第１のアンテナ１１０がより良い品質で信号を受信してもよく、結果として、スイッチ１１８は、ダイバース受信ロジック１２０に対して第１のアンテナ１１０からの信号をルーティングする。プライマリパスが同一または異なる信号を処理する間にダイバースパスによる信号の処理が発生することに注意すべきである。
【００２３】
それ故に、ダイバースパス選択ロジック１０６により、通信デバイスが多数のモードで動作して、１つ以上の受信情報信号のうち最も効率のよい処理を提供でき、その結果、従来のデバイスにおいては利用できない柔軟性および性能を提供する。
【００２４】
図２は、通信デバイスで使用するダイバースパス選択ロジック２００の１つの実施形態の図を示す。例えば、選択ロジック２００は、図１中に示したダイバースパス選択ロジック１０６のような使用に適している。選択ロジック２００は、２０２において一般的に示したプライマリ受信パスと、２０４において一般的に示したダイバース受信パスとを含む。
【００２５】
１つの実施形態において、プライマリ受信パス２０２は、デュプレクサ２０６、送信および受信増幅器（２０８、２１０）、信号分配器２１２、増幅器２３６、フィルタ２１４およびプライマリ受信ロジック２１６を含む。ダイバース受信パス２０４は、フィルタ２１８、受信増幅器２２０、フィルタ２２２、スイッチ２２４、およびダイバース受信ロジック２２６を含む。プライマリ受信パス２０２が第１のアンテナ２２８に結合されており、ダイバース受信パス２０４が第２のアンテナ２３０に結合されていると仮定する。１つの実施形態において、第１のアンテナ２２８は通信デバイスの筐体の外側に位置しており、第２のアンテナは通信デバイスの筐体内に位置している。結果として、第１のアンテナ２２８とプライマリ受信パス２０２は、第２のアンテナ２３０とダイバース受信パス２０４より優れた性能を提供するように動作する。
【００２６】
第１のアンテナ２２８において受信された信号は、デュプレクサ２０６および受信増幅器２１０を通って分配器２１４に流れる。分配器２１４は、任意の適当なロジック、回路または他の技術を含み、それらは入力信号を２つの出力信号に分配するように動作する。分配器２１２は、そこで入力信号を分配するように動作し、分配された信号は増幅器２３６およびスイッチ２２４の第１の端子に対して入力される。
【００２７】
第２のアンテナ２３０において受信された信号は、フィルタ２１８、受信増幅器２２０、およびフィルタ２２２を通ってスイッチ２２４の第２の端子に流れる。スイッチ２２４は任意の適当なスイッチ技術を含み、望まれる線形要求を満たす、ロジック、ディスクリート構成部品、および／またはソリッドステート回路を含んでもよい。スイッチ２２４は、その入力における信号のうちの１つをスイッチ出力に対してスイッチするように動作し、それにより選択された信号はダイバース受信ロジック２２６に流れる。１つの実施形態において、スイッチ２２４は制御信号２３２に基づいて、入力における信号のうちの１つを選択するように動作する。１つの実施形態において、デバイスにおける制御ロジック２３４は、制御信号２３２を提供する。しかしながら、プライマリ受信ロジック２１６、ダイバース受信ロジック２２６、またはデバイスにおいて動作する他の任意のロジックにより、制御信号２３２を提供してもよい。
【００２８】
動作中、アンテナ２２８、２３０において受信された信号がダイバースパス受信ロジック２２６に対してどのようにルーティングされるかをダイバースパス選択ロジック２００は決定するように動作する。例えば、１つの実施形態において、デバイスの動作モードに基づいてダイバース受信ロジック２２６に対して信号がどのようにルーティングされるかを選択ロジック２００は選択する。例えば、動作モードがダイバースパスモードにセットされる場合、制御ロジック２３４はスイッチ２２４を制御して、アンテナ２３０で受信された信号をダイバース受信ロジック２２６にルーティングする。モードが複数信号モードにセットされる場合、制御ロジック２３４はスイッチ２２４を制御して、アンテナ２３０で受信された信号をダイバース受信ロジック２２６にルーティングする。モードが最適化信号モードにセットされる場合、制御ロジック２３４はスイッチ２２４を制御して、それによりアンテナ２２８、２３０の両方で受信された信号の最適なバージョンをダイバースパス受信ロジック２２６にルーティングする。例えば、選択された信号がアンテナ２２８、２３０の両方で受信される場合、制御ロジック２３４はスイッチ２２４を制御し、それにより信号のより高い品質のバージョンをダイバース受信ロジック２２６にルーティングする。
【００２９】
１つの実施形態において、ダイバースパス選択ロジック２００はデジタル処理装置により実行可能な機械読み取り可能命令のプログラムを有形に組み込んでいる信号担持媒体を含み、ここで記述した機能を実行する。例えば、フロッピー（登録商標）ディスク、ＣＤＲＯＭ、メモリカード、フラッシュメモリデバイス、ＲＡＭ、ＲＯＭ、または他の任意のタイプのメモリデバイス、あるいは選択ロジック２００に対してインターフェイスするコンピュータ読み取り可能媒体のような、コンピュータ読み取り可能媒体から選択ロジックに命令をロードしてもよい。別の実施形態において、ネットワークリソースから選択ロジック２００に命令をダウンロードしてもよい。命令は、選択ロジック２００により実行されたとき、ここで記述したようなダイバースパス選択システムの１つ以上の実施形態を提供する。
【００３０】
図２中で示す選択ロジック２００の要素は単に１つの実施形態を表わし、より多いまたはより少ない機能要素を使用する任意の数の方法のうちの１つで選択ロジック２００の実現が達成できることを理解すべきである。例えば、ハードウェアまたは１つ以上のプロセッサにより実行されるコンピュータプログラム中で、示される機能要素のいくつかまたはすべてを実現できる。
【００３１】
図３は、通信デバイスで使用するためにダイバースパス受信システムを動作させる方法３００の１つの実施形態を示す。ダイバースパスモードまたは複数信号モードのどちらかにおいて受信された信号をデバイスが処理できるように、方法３００は動作する。方法３００は、図２中で示すダイバースパス受信ロジック２００の１つ以上の実施形態による使用に適している。
【００３２】
ブロック３０２において、プライマリ受信パスを使用するデバイスにより、第１の信号が受信される。例えば、第１の信号は音声通話信号であってもよく、その信号は第１のアンテナ２２８により受信され、プライマリ受信機２１６により処理される。
【００３３】
ブロック３０４において、デバイスに対する動作モードが選択される。例えば、デバイスにおけるロジックは動作モードを選択して、端末ユーザに対して選択された機能を提供する。２つのモードのうちの１つ、すなわちダイバースパスモードまたは複数信号モードが選択される。他のモードも実施形態の範囲内であり得ることに注意すべきである。
【００３４】
ブロック３０６において、ダイバースパスモードが選択される。例えば、ダイバースパスモードが選択されて、デバイスが同一信号の２つのバージョンを受信できるようになり、それによりそのバージョンをともに処理してフェージングの影響および／または他の劣化させる送信の影響を阻止できる。
【００３５】
ブロック３０８において、第２のアンテナからの信号は、ダイバースパス受信機に対してルーティングされる。例えば、スイッチ２２４は、ダイバースパスモードで動作するように位置２にセットされる。例えば、制御ロジック２３４は制御信号２３２をセットして、位置２を選択するようにスイッチ２２４を制御する。これにより、第２のアンテナにより受信された信号をダイバース受信ロジック２２６にルーティングできる。
【００３６】
ブロック３１０において、第２のアンテナにより受信された信号が、ダイバース受信ロジック２２６にルーティングされる。これにより、プライマリ受信ロジック２１６により受信されるのと同一の信号のバージョンをダイバース受信ロジック２２６が受信するため、端末はダイバースパス処理を実行することができる。方法は次にブロック３１２に進み、ここで、受信された信号はしかるべく処理される。
【００３７】
ブロック３１４において、複数信号モードが選択される。例えば、端末は、音声通話とＧＰＳ信号とを処理するように動作してもよい。複数信号モードが選択されて、端末は処理のために２つの異なる信号を受信できるようになる。
【００３８】
ブロック３１６において、複数信号モードで動作するように、スイッチが位置２にセットされる。例えば、制御ロジック２３４は制御信号２３２をセットして、位置２を選択するようにスイッチ２２４を制御する。これにより、第２のアンテナ２３０により受信された信号をダイバース受信ロジック２２６にルーティングすることができる。
【００３９】
ブロック３０８において、第２のアンテナにより受信された信号はダイバース受信ロジック２２６にルーティングされる。これにより、プライマリ受信ロジック２１６とは異なる信号をダイバース受信ロジック２２６が受信するため、端末は複数の信号処理を実行できる。方法は次にブロック３１２に進む。
【００４０】
ブロック３１２において、選択された動作モードに基づいて、信号はデバイスにより処理される。方法３００は、単に１つの実施形態であり、方法３００の変更、追加、削除、または再配列は、記述した実施形態の範囲内であることに注意すべきである。
【００４１】
図４は、通信デバイスで使用するためにダイバースパス受信システムを動作させる方法４００の１つの実施形態を示す。最適化信号モードにおいて受信された信号を通信デバイスが処理できるように、方法４００は動作する。方法４００は、図２中で示したダイバースパス選択ロジック２００の１つ以上の実施形態による使用に適している。
【００４２】
ブロック４０２において、プライマリ受信パスを使用するデバイスにより、第１の信号が受信される。例えば、第１の信号は音声通話信号であってもよく、その信号は第１のアンテナ２２８により受信されて、プライマリ受信機２１６により処理される。
【００４３】
ブロック４０４において、最適化信号モードが選択される。例えば、音声通話およびページングメッセージを処理するように、デバイスは動作していてもよい。最適化信号モードが選択されて、デバイスは２つの異なる信号を受信できるようになり、それにより、可能な最高の品質で第２の信号が受信される。例えば、第２の信号は、２つのアンテナのどちらで受信されてもよく、最適化信号モードにより、より良い品質を提供するアンテナで信号を受信できるようになる。
【００４４】
ブロック４０６において、スイッチがセットされ、所望の第２の信号を受信するために第１のアンテナが選択される。例えば、制御ロジック２３４が制御信号２３２をセットして、スイッチ位置１を選択するようにスイッチ２２４を制御する。これは第１のアンテナにより受信された信号をダイバース受信ロジック２２６にルーティングさせる。
【００４５】
ブロック４０８において、所望の第２の信号が第１のアンテナにより受信されて、ダイバース受信ロジック２２６にルーティングされる。
【００４６】
ブロック４１０において、第１の品質ンジケータが決定される。ダイバース受信ロジック２２６が、受信された第２の信号に関係付けられている第１の品質ンジケータを決定するように動作する。１つの実施形態において、品質ンジケータは信号強度インジケータであるが、任意の適当な品質ンジケータが決定されてもよい。
【００４７】
ブロック４１２において、スイッチがセットされて所望の第２の信号を受信するために第２のアンテナが選択される。例えば、制御ロジック２３４が制御信号２３２をセットして、スイッチ位置２を選択するようにスイッチ２２４を制御する。これは第２のアンテナにより受信された信号をダイバースロジック２２６にルーティングさせる。
【００４８】
ブロック４１４において、所望の第２の信号が第２のアンテナにより受信されてダイバース受信ロジック２２６にルーティングされる。
【００４９】
ブロック４１６において、第２の品質ンジケータが決定される。ダイバース受信ロジック２２６が受信された第２の信号に関係付けられている第２の品質ンジケータを決定するように動作する。１つの実施形態において、品質ンジケータは信号強度インジケータであるが、任意の適当な品質ンジケータが決定されてもよい。
【００５０】
ブロック４１８において、テストが実行されて、どのアンテナがより良い品質で所望の第２の信号を受信したかが決定される。例えば、ダイバース受信ロジック２２６が第１と第２の品質ンジケータとを比較するように動作し、どのアンテナがより良い品質で所望の第２の信号を受信しているかを決定する。別の実施形態において、ベースバンド処理ロジックのようなデバイス中の受信ロジックが、信号品質ンジケータを決定して比較するように動作する。例えば、任意の数のインジケータまたはパラメータを使用して、どの受信信号がより良い品質を有しているかを決定してもよい。例えば、ロジックが信号の振幅に基づいて、インバンド電力を調べてもよい。このように、いずれかの適当な信号品質ンジケータを使用して、どのアンテナがより良い品質で所望の信号を提供しているかを決定してもよい。第１のアンテナがより良い品質で所望の第２の信号を受信していることが決定される場合、方法はブロック４２２に進む。第２のアンテナがより良い品質で所望の第２の信号を受信していることが決定される場合、方法はブロック４２０に進む。
【００５１】
ブロック４２０において、第２のアンテナが選択されて所望の第２の信号が受信される。例えば、２３８における信号により制御ロジック２３４をセットして、ダイバース受信ロジック２２６は所望のスイッチを指示する。制御ロジック２３４は次に制御信号２３２をセットして、スイッチ位置２を選択するようにスイッチ２２４を制御する。方法は次にブロック４２４に進む。
【００５２】
ブロック４２２において、第１のアンテナが選択されて所望の第２の信号が受信される。例えば、２３８における信号により制御ロジック２３４をセットして、ダイバース受信ロジック２２６は所望のスイッチを指示する。制御ロジック２３４は次に制御信号２３２をセットして、スイッチ位置１を選択するようにスイッチ２２４を制御する。方法は次にブロック４２４に進む。
【００５３】
ブロック４２４において、所望の第２の信号が最高の信号品質で受信されて、ダイバースパス受信ロジック２２６にルーティングされる。ブロック４２８において、望み通りに、デバイスは受信された第１および第２の信号を処理する。
【００５４】
方法４００は単なる１つの実施形態であり、方法４００の変更、追加、削除、または再配列は記述した実施形態の範囲内であることに注意すべきである。例えば、記述した実施形態の範囲内で、方法３００の１つ以上の機能と方法４００は組み合わされてもよい。
【００５５】
別の実施形態において、第１のアンテナ２２８が常に選択されてダイバース受信ロジック２２６に対してその受信された信号を提供するように、方法４００が調整される。例えば、最適化信号モードを作動させるときはいつでもスイッチ２２４が位置１にセットされる。
【００５６】
通信デバイスにおいてダイバースパスにより処理すべき信号を選択するためのダイバースパスアンテナ選択システムが提示された。よって、ダイバースパス選択システムの１つ以上の実施形態をここで図示して記述したが、実施形態の精神または基本的な特性を逸脱することなく、実施形態に対してさまざまな変更を実施できることが理解されるだろう。したがって、発明の範囲に関して、ここでの開示および記述は実例的であるが、限定ではないように意図されており、それらは特許請求の範囲において示されている。
【図面の簡単な説明】
【００５７】
【図１】図１は、ダイバースパス選択システムの１つの実施形態を含む通信ネットワークにおけるデバイスを示す。
【図２】図２は、ダイバースパス選択システムの１つの実施形態の図を示す。
【図３】図３は、通信デバイスにおいてダイバースパス選択を提供する方法の１つの実施形態を示す。
【図４】図４は、通信デバイスにおいてダイバースパス選択を提供する方法の１つの実施形態を示す。
【図１】
2008537864.tif 000003
【図２】
2008537864.tif 000004
【図３】
2008537864.tif 000005
【図４】
2008537864.tif 000006
【国際調査報告】
2008537864.tif 000007
2008537864.tif 000008
2008537864.tif 000009